(57)【要約】  【課題】  他の素材との組み合わせが容易にできて、気温の変化に対応でき、かつ、様々なファッションを楽しむことのできる毛皮襟巻を提供する。  【解決手段】  毛皮からなる襟巻本体の長さ方向に間隔をあけて複数の穴が設けられており、気温や用途、着用者の気分に応じて、襟巻本体を単体で用いたり、襟巻本体の穴に他の素材からなる生地を通して、襟巻本体と他の生地とを組み合わせて用いたりする。  【選択図】  図１
2006336170.tif 000002
【特許請求の範囲】
【請求項１】
毛皮からなる襟巻本体を備え、該襟巻本体の長さ方向に間隔をあけて複数の穴が設けられていることを特徴とする毛皮襟巻。
【請求項２】
前記襟巻本体は複数のリング状の毛皮リングからなり、該毛皮リングを隣接する毛皮リングの前記穴に通して連続させている請求項１に記載の毛皮襟巻。
【請求項３】
前記襟巻本体は帯状の毛皮帯材からなり、該毛皮帯材には長さ方向に間隔をあけて複数の前記穴となるスリットが設けられ、該スリットの縁部と該縁部に対向する毛皮帯材の縁部とが毛皮の毛が外側となるように縫製されて前記穴が形成されている共に、前記スリットを設けていない箇所では毛皮帯材の対向する縁部同士が毛皮の毛が外側となるように縫製されている請求項１に記載の毛皮襟巻。
【請求項４】
前記襟巻本体は帯状の毛皮帯材と複数の毛皮小片とからなり、該毛皮帯材には長さ方向に間隔をあけて長辺側の端縁よりＬ字状の切断部が設けられ、該切断部は毛皮帯材の長辺側の端縁から毛皮帯材の幅方向に連続する短尺な第１スリットと、該第１スリットの内側の端部から毛皮帯材の長さ方向に連続する長尺な第２スリットとからなり、
前記切断部により細長い舌片が形成されており、該舌片が前記毛皮帯材との連続位置で折り返されることにより形成された切欠部には、前記毛皮小片が第１スリットの縁部と前記舌片の折返し位置とで縫製されて取り付けられており、
前記第２スリットの毛皮帯材側の縁部と該縁部に対向する毛皮帯材の外側縁部とが毛皮の毛が外側となるように縫製されていると共に、前記毛皮小片の対向する長尺側の縁部同士が毛皮の毛が外側となるように縫製されて、前記第２スリットにより前記穴が形成されており、
前記第２スリットを設けていない箇所では前記毛皮帯材の対向する縁部同士が毛皮の毛が外側となるように縫製されており、かつ、前記舌片も対向する長尺側の縁部同士が毛皮の毛が外側となるように縫製されていると共に、該舌片が折り返されて先端が前記毛皮帯材に縫製されてリング状の装飾部とされている請求項１に記載の毛皮襟巻。
【請求項５】
前記襟巻本体に前記穴が４個以上設けられている請求項１乃至請求項４のいずれか１項に記載の毛皮襟巻。
【請求項６】
毛皮以外の素材からなる生地を備え、該生地を前記襟巻本体の穴に通して、前記襟巻本体と生地とを組み合わせている請求項１乃至請求項５のいずれか１項に記載の毛皮襟巻。
【発明の詳細な説明】
【技術分野】
【０００１】
本発明は、毛皮襟巻に関し、詳しくは、ストール、マフラー、スカーフ、ショール、カラー等として用いられるものであり、多種多様な使用方法を可能とするものである。
【背景技術】
【０００２】
従来、毛皮襟巻はファッション性も兼ね備えた防寒具として、広く用いられている。
本出願人は、特許第３４９３１８６号公報（特許文献１）において、長さ調整が可能な毛皮襟巻を提供しており、その他にも様々な工夫を凝らした毛皮襟巻が提供されている。
【０００３】
しかしながら、いずれの毛皮襟巻にしてみても、毛皮襟巻が単体で用いられるものばかりであり、他の素材との組み合わせが容易にできて、気温の変化に対応でき、かつ、様々なファッションを楽しむことのできる毛皮襟巻は提供されていない。
【０００４】
【特許文献１】特許第３４９３１８６号公報
【発明の開示】
【発明が解決しようとする課題】
【０００５】
本発明は前記問題に鑑みてなされたものであり、他の素材との組み合わせが容易にできて、気温の変化に対応でき、かつ、様々なファッションを楽しむことのできる毛皮襟巻を提供することを課題としている。
【課題を解決するための手段】
【０００６】
前記課題を解決するため、本発明は、毛皮からなる襟巻本体を備え、該襟巻本体の長さ方向に間隔をあけて複数の穴が設けられていることを特徴とする毛皮襟巻を提供している。
【０００７】
前記構成によれば、毛皮からなる襟巻本体に複数の穴を設けているため、襟巻本体を柔軟化、軽量化することができる。
また、襟巻本体に設けられた複数の穴に毛皮以外の他の素材を通して組み合わせることが容易となり、毛皮に組み合わせる素材を様々に変更することにより、気温の変化に容易に対応でき、かつ、様々なファッションを楽しむことができる。これにより、毛皮襟巻を一年間のうちの長期間使用することができる。
なお、前記襟巻本体と組み合わせる生地の素材としては、シルク、カシミヤ、ウール、麻、綿等の天然繊維やアクリル、ナイロン、ポリエステル等の化学繊維等が挙げられる。
また、他の生地と組み合わせることなく襟巻本体単体で使用することもできる。
【０００８】
例えば、前記襟巻本体は複数のリング状の毛皮リングからなり、該毛皮リングを隣接する毛皮リングの前記穴に通して連続させている。
前記構成によれば、１本の襟巻本体が複数の毛皮リングからなるため、小片からなる毛皮により製造することが可能である。よって、原皮を無駄なく効率良く利用して、１枚の原皮からより多くの毛皮襟巻を製造することができる。
また、各毛皮リングの毛の色や質感を変えることにより、ファッション性の高い毛皮襟巻とすることができる。
【０００９】
また、前記襟巻本体は帯状の毛皮帯材からなり、該毛皮帯材には長さ方向に間隔をあけて複数の前記穴となるスリットが設けられ、該スリットの縁部と該縁部に対向する毛皮帯材の縁部とが毛皮の毛が外側となるように縫製されて前記穴が形成されている共に、前記スリットを設けていない箇所では毛皮帯材の対向する縁部同士が毛皮の毛が外側となるように縫製されている構成としてもよい。
【００１０】
前記構成によれば、前記毛皮リングを連続させた襟巻本体と比較して、複数設けた穴間に毛皮の重なりが少ないため、毛皮に無駄がなく、さらに襟巻本体の軽量化、柔軟化を図ることができる。また、襟巻本体を凹凸が少なくスマートな形状とすることができ、他の生地と組み合わせる場合には、襟巻本体に凹凸が少ない分、襟巻本体と他の素材とが馴染みやすく組み合わせを容易にすることができる。
【００１１】
さらに、前記襟巻本体は帯状の毛皮帯材と複数の毛皮小片とからなり、該毛皮帯材には長さ方向に間隔をあけて長辺側の端縁よりＬ字状の切断部が設けられ、該切断部は毛皮帯材の長辺側の端縁から毛皮帯材の幅方向に連続する短尺な第１スリットと、該第１スリットの内側の端部から毛皮帯材の長さ方向に連続する長尺な第２スリットとからなり、
前記切断部により細長い舌片が形成されており、該舌片が前記毛皮帯材との連続位置で折り返されることにより形成された切欠部には、前記毛皮小片が第１スリットの縁部と前記舌片の折返し位置とで縫製されて取り付けられており、
前記第２スリットの毛皮帯材側の縁部と該縁部に対向する毛皮帯材の外側縁部とが毛皮の毛が外側となるように縫製されていると共に、前記毛皮小片の対向する長尺側の縁部同士が毛皮の毛が外側となるように縫製されて、前記第２スリットにより前記穴が形成されており、
前記第２スリットを設けていない箇所では前記毛皮帯材の対向する縁部同士が毛皮の毛が外側となるように縫製されており、かつ、前記舌片も対向する長尺側の縁部同士が毛皮の毛が外側となるように縫製されていると共に、該舌片が折り返されて先端が前記毛皮帯材に縫製されてリング状の装飾部とされている構成としてもよい。
【００１２】
前記構成によれば、毛皮襟巻の長さ方向に間隔をあけて前記舌片をリング状とした装飾部が設けられるため、ファッション性の高い毛皮襟巻とすることができる。
また、毛皮帯材に設けられたＬ字状の切断部により形成された切欠部には別体の毛皮小片を縫製して取り付けているため、他の使用用途がないような小片も有効利用することができる。
さらに、この毛皮小片の毛の色や質感を毛皮帯材の毛の色や質感と異なるものにすれば、さらにファッション性の高い襟巻本体とすることができる。
【００１３】
前記襟巻本体には４個以上の穴が設けられていることが好ましい。
前記構成によれば、他の生地を襟巻本体の多数の穴に通すことにより、襟巻本体と他の生地とを容易に組み合わせることができ、使用中に襟巻本体から他の生地が抜け落ちることも防止できる。
【発明の効果】
【００１４】
前述したように、本発明によれば、毛皮からなる襟巻本体に複数の穴を設けているため、襟巻本体を柔軟化、軽量化することができ、様々な巻き方、使い方にもしなやかに変形して対応でき、着用時の重量による負担を軽減することができる。
また、襟巻本体に設けられた複数の穴に毛皮以外の他の素材を通して組み合わせることが容易となり、襟巻本体に組み合わせる素材を様々に変更することにより、気温の変化に容易に対応でき、かつ、様々なファッションを楽しむことができる。これにより、毛皮襟巻を一年間のうちの長期間使用することができる。
【発明を実施するための最良の形態】
【００１５】
本発明の実施形態を図面を参照して説明する。
図１乃至図３は、本発明の第１実施形態を示し、毛皮襟巻１０は襟巻本体１１と、該襟巻本体１１に設けた４個の穴１２に通して組み合わせたシルク生地２０とからなる。
【００１６】
襟巻本体１１は４個のリング状の毛皮リング１３からなり、該毛皮リング１３を隣接する毛皮リング１３の穴１２に通して連続させて一連の襟巻本体１１としている。
前記毛皮リング１３のうち一端の毛皮リング１３Ａは、図３（Ａ）に示す帯状の毛皮帯材１４からなる。該毛皮帯材１４を、図３（Ｂ）に示すように、毛が備えられた表面１４ａが内側、毛を備えていない裏面１４ｂが外側となるようにリング状にし、短辺側の縁部１４ｃと１４ｄとを縫製している。図３（Ｃ）に示すように、リング状にした毛皮帯材１４の表面１４ａが外側となるよう長辺側の縁部１４ｅと１４ｆとを重ね合わせて筒状にし、端部１４ｅと１４ｆとをリングに沿って縫製して、図４（Ｄ）に示すように、縫製部分を目立たないように内周側に移動させている。
【００１７】
前記毛皮リング１３Ａに隣接する毛皮リング１３Ｂは、毛皮リング１３Ａと同様の毛皮帯材１４からなり、図３（Ｂ）のようにリング状とする前に、毛皮帯材１４を毛皮リング１３Ａの穴１２に通し、毛皮リング１３Ａに引っ掛けた状態で前記毛皮リング１３Ａと同様の方法により作製している。残り２個の毛皮リング１３Ｂも同様の方法で作製している。
また、両端の毛皮リング１３の穴１２にリング状の取付材１５を通すことにより、両端の毛皮リング１３にぞれぞれ取付材１５を取り付けており、該取付材１５の一端に毛皮からなるボンボリ１６を取り付けている。
【００１８】
前記構成によれば、毛皮からなる襟巻本体１１に複数の穴１２を設けているため、襟巻本体１１を柔軟化、軽量化することができる。
また、１本の襟巻本体１１が複数の毛皮リング１３からなるため、小片からなる毛皮帯材１４により製造することが可能である。よって、原皮を無駄なく効率良く利用して、１枚の原皮からより多くの毛皮襟巻１１を製造することができる。
さらに、襟巻本体１１に設けられた複数の穴１２に毛皮以外の生地２０を通して組み合わせることができ、生地２０を様々に変更することにより、気温の変化に容易に対応でき、かつ、様々なファッションを楽しむことができる。
【００１９】
なお、襟巻本体１１は他の生地２０と組み合わせることなく単体で使用することもでき、例えば、図４に示すように、一方のボンボリ１６を他方のボンボリ１６に取り付けたリング状の取付材１５に通して着用者の首に巻き付けるようにして使用することができる。
また、本実施形態では襟巻本体に穴を４個設けているが、２個、３個または５個以上設けてもよい。
【００２０】
図５乃至図７は、本発明の第２実施形態を示す。
本実施形態の毛皮襟巻３０も襟巻本体３１と、該襟巻本体３１に設けた穴３２に通して組み合わせた生地２０とからなるが、襟巻本体３１を第１実施形態の毛皮襟巻と相違させている。
【００２１】
襟巻本体３１を形成する長尺な帯状の毛皮帯材３３には、図６に示すように、毛皮帯材３３の幅方向の中央に、毛皮帯材３３の長さ方向に連続する同一長さの４本のスリット３４Ａ、３４Ｂ、３４Ｃ、３４Ｄを略等間隔をあけて設けている。４本のスリット３４Ａ〜３４Ｄのうち、両側のスリット３４Ａ、３４Ｄは毛皮帯材３３の両端にまで達しており、毛皮帯材３３の両端をスリット３４Ａ、３４Ｄにより二股に分割している。この二股に分割された両端をそれぞれ縫製して、４本のスリット３４Ａ〜３４Ｄにより毛皮帯材３３に４つの穴３２が形成された状態としている。
【００２２】
前記スリット３４を設けた箇所では、図７に示すように、スリット３４の一方の縁部３３ｃと該縁部３３ｃに対向する毛皮帯材３３の外側縁部３３ｄとを毛皮を備えた表面３３ａが外側、毛皮を備えてない裏面３３ｂが内側となるように重ね合わせ、該縁部３３ｃと３３ｄとを縫製して小径の筒部３１ａを形成している。同様に、スリット３４の他方の縁部３３ｅと該縁部３３ｅに対向する毛皮帯材３３の外側縁部３３ｆとを縫製して小径の筒部３１ｂを形成している。これら２つの筒部３１ａと３１ｂにより１つの穴３２を形成している。
また、スリット３４を設けていない箇所では毛皮帯材３３の対向する縁部３３ｇと３３ｈ同士を表面３３ａが外側となるように縫製して大径の筒部３１ｃを形成している。
なお、前記縫製箇所は、縫製後に筒部の内部側に押し込むことにより目視できないようにしている。
【００２３】
前記構成によれば、襟巻本体３１に複数設けた穴３２間に毛皮の重なりが少ないため、毛皮に無駄がなく、さらに襟巻本体３１の軽量化、柔軟化を図ることができる。
また、襟巻本体３１を凹凸が少なくスマートな形状とすることができ、襟巻本体３１に凹凸が少ない分、襟巻本体３１と生地２０とが馴染みやすく組み合わせを容易にすることができる。
なお、本実施形態においても、襟巻本体の両端に第１実施形態と同様のボンボリを設けてもよい。
また、他の構成及び作用効果は第１実施形態と同様のため、同一の符号を付して説明を省略する。
【００２４】
図８及び図９は、第２実施形態の変形例を示す。
本変形例の襟巻本体３１’は、第２実施形態の４本のスリット３４が設けられた毛皮帯材３３と同様の毛皮帯材３３からなる。スリット３４Ａにより二股に分割された小幅帯部３３ｉ、３３ｊのうち、一方の小幅帯部３３ｊの先端側を小幅帯部３３ｊの長さ全体に対して３分の２に当る長さ分だけ切断し、該切断部３３ｊ−１を、図９（Ｂ）に示すように、他方の小幅帯部３３ｉの先端に縫製して取り付けている。これにより、長尺な小幅帯部３３ｉと短尺な小幅帯部３３ｊを形成している。
【００２５】
長尺な小幅帯部３３ｉの先端にはＴ字状の係止部材３５を取り付ける一方、短尺な小幅帯部３３ｊの先端には前記係止部材３５が係止される枠状の被係止部材３６を取り付けている。これら小幅帯部３３ｉ、３３ｊ及び毛皮帯材３３の他の部分は第２実施形態と同様の方法により筒状に縫製している。
【００２６】
前記構成によれば、襟巻本体３１’の一端側（図８（Ａ）の左側）には穴が形成されておらず、係止部材３５を被係止部材３６に係止して初めて穴３２’が形成される。よって、長尺な小幅帯部３３ｉからなる筒部を他端側の穴３２’に通した状態で係止部材３５を被係止部材３６に係止することにより襟巻本体３１’が、図８（Ｂ）に示すように、全体としてリング状となり着用者の首に容易に巻き付けることができる。
なお、他の構成及び作用効果は第２実施形態と同様のため、同一の符号を付して説明を省略する。
【００２７】
図１０乃至図１２は、本発明の第３実施形態を示す。
本実施形態の毛皮襟巻の襟巻本体４１は６個の穴４２を備え、該穴４２間に装飾部４３を設けている。
【００２８】
図１１（Ａ）に示すように、２枚の帯状の毛皮帯材５０を毛皮小片５１で連結し、図１１（Ｂ）に示すように、毛皮帯材５０に長さ方向に間隔をあけて長辺側の端縁５０ａよりＬ字状の切断部５２を設けている。該切断部５２は毛皮帯材５０の端縁５０ａから毛皮帯材５０の幅方向に中央まで連続する短尺な第１スリット５２ａと、該第１スリット５２ａの内側の端部から毛皮帯材５０の長さ方向に連続する長尺な第２スリット５２ｂとからなる。
【００２９】
前記切断部５２により細長い舌片５０ｂを形成し、該舌片５０ｂを毛皮帯材５０との連続位置５０ｃで折り返すことにより舌片５０ｂが配置されていた箇所に切欠部５０ｄを設けている。該切欠部５０ｄには、図１１（Ｃ）に示すように、他の毛皮小片５３を第１スリット５２ａの縁部と舌片５０ｂの折返し位置（前記連続位置５０ｃ）とに縫製して取り付けている。
【００３０】
前記工程以降の縫製作業は、前記第２実施形態と同様の方法により行っている。即ち、図１２（Ａ）に示すように、第２スリット５２ｂの毛皮帯材５０側の縁部５０ｅと該縁部５０ｅに対向する毛皮帯材５０の外側縁部５０ｆとを表面が外側となるように筒状に縫製すると共に、毛皮小片５３の対向する長尺側の縁部５３ａと５３ｂ同士を表面が外側となるように筒状に縫製して、穴４２を形成している。また、第２スリット５２ｂを設けていない箇所では毛皮帯材５０の対向する縁部５０ｇと５０ｈ同士を表面が外側となるように筒状に縫製している。さらに、本実施形態では、舌片５０ｂも対向する長尺側の縁部５０ｂ−１と５０ｂ−２同士を表面が外側となるように筒状に縫製しており、図１２（Ｂ）に示すように、舌片５０ｂにより形成した筒部４１ａを折り返して、筒部４１ａの先端を毛皮帯材５０の所要箇所に縫製し、筒部４１ａによりリング状の装飾部４３を形成している。
【００３１】
前記構成によれば、襟巻本体４１の長さ方向に間隔をあけて装飾部４３を設けているため、ファッション性の高い毛皮襟巻とすることができる。
また、毛皮帯材５０に設けられたＬ字状の切断部５２により形成された切欠部５０ｄには別体の毛皮小片５３を縫製しているため、他の使用用途がないような小片も有効利用することができる。
さらに、前記毛皮小片５３の毛の色や質感を毛皮帯材５０の毛の色や質感と異なるものにすれば、さらにファッション性の高い襟巻本体４１とすることができる。
なお、前記実施形態と同様、本実施形態の襟巻本体も他の生地と組み合わせて用いてもよい。
【図面の簡単な説明】
【００３２】
【図１】本発明の第１実施形態の毛皮襟巻を示す斜視図である。
【図２】第１実施形態の襟巻本体を示す図面である。
【図３】襟巻本体を構成する毛皮リングの作製方法を示し（Ａ）は毛皮帯材の斜視図、（Ｂ）は毛皮帯材をリング状に縫製した状態を示す図面、（Ｃ）は筒縫いした状態を示す図面、（Ｄ）は毛皮リングを示す斜視図である。
【図４】第１実施形態の襟巻本体の使用例を示す図面である。
【図５】第２実施形態の毛皮襟巻を示す斜視図である。
【図６】スリットを設けた毛皮帯材の背面図である。
【図７】（Ａ）（Ｂ）は筒縫いの過程を示す図面である。
【図８】第２実施形態の変形例を示し、（Ａ）は襟巻本体の平面図、（Ｂ）は襟巻本体の使用例を示す図面である。
【図９】（Ａ）（Ｂ）は襟巻本体の作製過程を示す図面である。
【図１０】第３実施形態の襟巻本体を示す図面である。
【図１１】（Ａ）〜（Ｃ）は襟巻本体の作製過程を示す図面である。
【図１２】（Ａ）（Ｂ）は襟巻本体の装飾部の作製過程を示す図面である。
【符号の説明】
【００３３】
１０、３０  毛皮襟巻
１１、３１、３１’、４１  襟巻本体
１２、３２、３２’、４２  穴
１３  毛皮リング
１４、３３、５０  毛皮帯材
２０  生地
３４  スリット
４３  装飾部
５０ｂ  舌片
５２  切断部
５３  毛皮小片
【図１】
2006336170.tif 000003
【図２】
2006336170.tif 000004
【図３】
2006336170.tif 000005
【図４】
2006336170.tif 000006
【図５】
2006336170.tif 000007
【図６】
2006336170.tif 000008
【図７】
2006336170.tif 000009
【図８】
2006336170.tif 000010
【図９】
2006336170.tif 000011
【図１０】
2006336170.tif 000012
【図１１】
2006336170.tif 000013
【図１２】
2006336170.tif 000014